(57)【要約】  【課題】盗難の被害の抑制および確実な固定の実現。  【解決手段】保安灯Ａを抜き挿し可能に保持する筒体２に、当該筒体２を取付け対象部Ｂに取付けるためのクランプ３を備え、筒体２の側面に、前記保安灯Ａを固定する固定部４を備える。【選択図】図１
0003103402.tif 000002
【実用新案登録請求の範囲】
【請求項１】
保安灯を抜き挿し可能に保持する筒体に、当該筒体を取付け対象部に取付けるためのクランプを備え、筒体の側面に、前記保安灯を固定する固定部を備えてなり、
クランプには、工具を用いて取付け対象部にクランプを締め付け固定するための固定ねじと、当該固定ねじを固定するためのロックナットとを、固定部には、工具を用いて保安灯を筒体に締め付け固定するための固定ねじと、当該固定ねじを固定するためのロックナットとを備えた保安灯用保持具。
クレーム
【請求項２】
前記クランプは、筒体の下端部または／および筒対の側面に設けられている請求項１に記載の保安灯保持具。
【請求項３】
前記筒体の内径が、保安灯における前記筒体に挿し込まれる部位の最大外径に対して同径以上である請求項１または請求項２に記載の保安灯保持具。
【考案の詳細な説明】
【技術分野】
【０００１】
本考案は、たとえば、歩行者や自動車等運転者に、通行区域と通行禁止区域との境界を示すのに使用される保安灯を保持する保持具に関する。
【背景技術】
【０００２】
たとえば、工事現場やイベント会場等の通行区域と通行禁止区域との境界や、歩道と車道との境界を示すのに使用される保安灯は、保安灯を保持する保持具に挿し込まれ、当該保持具をたとえば前記境界線上に立てられたバリケードやコーンあるいはガードレール等に取付けることによって設置される。
前記保持具の先行技術文献情報としては下記のものがある。
【非特許文献１】［２００４年１月２９日検索］、［ＬＥＤソーラー製品］、インターネット、<http://www001.upp.so-net.ne.jp/road/>
【考案の開示】
【考案が解決しようとする課題】
【０００３】
ところで、非特許文献１に記載の保持具は、固定ねじを作業者の手で直接回すものが使用されているため、簡単に取り外すことができるので、盗難の被害が相次いでいる。
また、固定ねじを作業者の手の力のみで締め付けるので、その固定状態が各作業者毎にでまちまちであり、その上、締め付け力も工具を用いる固定ねじに比べて弱く、確実な取付け状態の保持についての改良点も有る。
【０００４】
そこで、本考案は、盗難の被害の抑制および確実な固定の実現を課題とし、この課題を解決する保安灯保持具の提供を目的とする。
【課題を解決するための手段】
【０００５】
上記目的を達成するために本考案は下記の技術的手段を採用した。
具体的には、保安灯を抜き挿し可能に保持する筒体に、当該筒体を取付け対象部に取付けるためのクランプを、筒体の側面に、前記保安灯を固定する固定部を備えてなり、
クランプには、工具を用いて取付け対象部にクランプを締め付け固定するための固定ねじと、当該固定ねじを固定するためのロックナットとを、固定部には、工具を用いて保安灯を筒体に締め付け固定するための固定ねじと、当該固定ねじを固定するためのロックナットとを備えた保安灯用保持具としたことである（請求項１）。
【０００６】
本考案でいう取付け対象部とは、たとえば、バリケードやコーンあるいはガードレール等である。
【０００７】
また、保安灯の取付け形態の多様化ということから、前記クランプを、筒体の下端部または／および筒体の側面に設ける（請求項２）ことが好ましい。  
【０００８】
また、一つの保安灯用保持具で、あらゆるメーカーやサイズの保安灯に対応するということから、前記筒体の内径を、保安灯における前記筒体に挿し込まれる部位の最大外径に対して同径以上とすることが好ましい（請求項３）。
【考案の効果】
【０００９】
本考案によれば、工具により締め付ける固定ねじと、その固定ねじを固定するためのロックナットによって、筒体を取付け対象部に確実に固定するとともに、保案灯を筒体に確実に固定することができる。
つまり、保案灯を盗もうとする際には、工具が必要であるので、盗もうとする者に対してその時間を引き延ばすことができ、この時間引き延ばしによって精神的に焦らせて、盗もうという行為をあきらめさせることが期待できる。
さらに、従来の取付け状態に比べて取付け状態の確実性が格段に向上するので、使用中における固定ねじの緩みが抑制され、クランプおよび保安灯のずれや外れ等を防止することができる。
したがって、保安灯の盗難の被害の抑制および確実な固定が実現できる。
【００１０】
また、請求項２の考案によれば、保安灯の取付け形態に応じて、筒体の下端部にクランプが有るもの、筒体の側面にクランプが有るものを選択して使用することができる。
また、筒体の下端部および側面の両方にクランプが有るものでは、保安灯の支持方向に対応していずれかのクランプを選択し使用することができる。
つまり、筒体の下端部および側面の両方にクランプが有るものでは、一つの保安灯用保持具で、保安灯をあらゆる方向に向けることができるので、保安用品コストの削減に大きく貢献することができる。
【００１１】
また、請求項３の考案によれば、一つの保安灯用保持具であらゆるメーカーやサイズの保安灯に対応することができる。
したがって、異なる保安灯への交換時には、筒体を取付け対象部に固定した状態で保安灯のみを交換すればよいので、交換時間の短縮に有効である。
さらに、異なる保安灯毎に保安灯用保持具を用意する必要がないので、保安用品コストの削減に大きく貢献する。
【考案を実施するための最良の形態】
【００１２】
以下、本考案の実施の形態を図面に基づいて説明する。
本考案の保安灯用保持具（以下「保持具」という）１は、保安灯Ａを抜き挿し可能に保持する筒体２の下端部に、当該筒体を取付け対象部に取付けるためのクランプ３を、筒体の側面に、前記保安灯Ａを固定する固定部４を備えて構成されている。
保安灯Ａは、前記筒体２に嵌入される筒部Ａ１内に内蔵された専用バッテリーやソーラー発電機等の電源（図示せず）によって、発光部Ａ２が連続的に点灯したり点滅したりする周知のものである。
【００１３】
前記筒体２は、内径を前記筒部Ａ２の外径よりも大径とする金属パイプであって、保安灯Ａのメーカーやサイズにかかわらず、いずれの保安灯にも対応可能にされている。
【００１４】
クランプ３は、金属材を用いて略下向きコの字型状のクランプ本体３１と、当該クランプ本体３１の一方の側面３Ａに貫通状にねじ込まれる固定ねじ３２と、当該固定ねじ３２の締め付け状態を固定するロックナット３３とから構成されている。
【００１５】
クランプ本体３１は、前記側面３Ａと対面する他方の側面３Ｂとの間隔が、前記取付け対象部Ｂよりも大きくされ、前記取付け対象部Ｂの径や幅にかかわらず、いずれの取付け対象部にも対応可能にされている。
符号３Ｃは、固定ねじ３２がねじ込まれるナットであり、前記側面３Ａの裏面に、側面３Ａに開孔されたねじ孔３Ｄと連通するように固着されている。
符号３Ｅは、クランプ本体３１が取付け対象部Ｂに取付けられた状態における滑り止めである。
前記固定ねじ３２は、工具（図示ではドライバー）によってねじ込まれるものであり、固定ねじ３２の先端には、取付け対象部Ｂに対する固定ねじ３２の接触面積を拡大するための接触板３２Ａが取付けられている。  
ロックナット３３は、前記側面３Ａの表面側で前記固定ねじ３２にねじ込まれている。
【００１６】
前記構成のクランプ３によれば、クランプ本体３１を前記取付け対象部Ｂに嵌め込み、固定ねじ３２を締め込むとともに、ロックナット３３を締め込むことによって、保持具１を取付け対象部Ｂに固定状に取付けることができる。
【００１７】
固定部４は、前記筒体２の側面に開孔された貫通孔４１と、当該貫通孔４１を跨ぐようにして筒体２に固着された略コの字型のねじ込み板４２と、当該ねじ込み板４２に貫通状にねじ込まれる固定ねじ４３と、当該固定ねじ４３の締め付け状態を固定するロックナット４４とから構成されている。
【００１８】
前記貫通孔４１は、前記固定ねじ４３の先端に取付けられた後述する接触板４３Ａが通過可能な径として開孔されている。
ねじ込み板４２は、上下側面部４２Ａ，４２Ｂによって、前記筒体２との間に空間Ｓを確保して固着されている。
また、前記筒体２と対面する側面部４２Ｃには、ねじ孔４２Ｄが開孔され、４２Ａの裏面には、固定ねじ４３がねじ込まれるナット４２Ｅが、前記ねじ孔４２Ｄと連通するように固着されている。
固定ねじ４３は、工具（図示ではドライバー）によってねじ込まれるものであり、固定ねじ４３の先端には、保安灯Ａに対する固定ねじ４３の接触面積を拡大するための前述した接触板４３Ａが取付けられている。
ロックナット４４は、前記側面部４２Ｃの表面側で前記固定ねじ４３にねじ込まれている。
【００１９】
前記構成の固定部４によれば、前記筒体２に前記保安灯Ａを嵌入し、固定ねじ４３を締め込むとともに、ロックナット４４を締め込むことによって、保安灯Ａを筒体２に固定状にほじすることができる。
【００２０】
なお、本考案は、前記した実施の形態の構成に限定するものではなく、実用新案登録請求の範囲の各項に記載された内容から逸脱しない範囲での実施が可能である。
【図面の簡単な説明】
【００２１】
【図１】本考案に係る保安灯用保持具の一例を示す斜視図。
【図２】図１の（２）‐（２）線断面図。
【符号の説明】
【００２２】
１：保安灯用保持具
２：筒体
３：クランプ
３１：クランプ本体
３２：固定ねじ
３３：ロックナット
４：固定部
４１：貫通孔
４２：ねじ込み板
４３：固定ねじ
４４：ロックナット
Ａ：保安灯
Ｂ：取付け対象部
【図１】
0003103402.tif 000003
【図２】
0003103402.tif 000004